(57)【要約】【課題】ファインダー内に照明可能な高分子分散液晶パネルを設けるとともに、ファインダーの横側にも情報表示を配置可能にした一眼レフカメラのファインダー装置を提供すること。【解決手段】カメラのフレーミングを決定するためのファインダー像を結像するピント板と、前記ピント板と重なって視認できる様に配置された、光を拡散する状態を切り替える複数の表示を有する長方形の液晶表示パネルと、カメラの情報を表示する第１、第２の情報表示手段と、前記液晶表示パネルを照明する照明手段を有したカメラのファインダー装置において、前記液晶表示パネルの一辺に隣接して前記第１の情報表示手段を配置し、前記液晶表示パネルの第１の情報表示手段の配置された辺に対向する辺に隣接して前記照明手段を配置し、前記第１の情報表示手段と、前記照明手段が配置されていない辺に隣接して前記第２の情報表示手段を配置した事を特徴とする構成とした。【選択図】  図１
2015096902.tif 000002
【特許請求の範囲】
【請求項１】
カメラのフレーミングを決定するためのファインダー像を結像するピント板（６）と、
前記ピント板と重なって視認できる様に配置された、光を拡散する状態を切り替える複数の表示を有する長方形の液晶表示パネル（７）と、
カメラの情報を表示する第１、第２の情報表示手段（１１，１２，１８，１９）と、
前記液晶表示パネル（７）を照明する照明手段（１３，２５）を有したカメラのファインダー装置において、
前記液晶表示パネル（７）の一辺に隣接して前記第１の情報表示手段（１１，１２）を配置し、
前記液晶表示パネル（７）の第１の情報表示手段（１１，１２）の配置された辺に対向する辺に隣接して前記照明手段（１３，２５）を配置し、
前記第１の情報表示手段（１１，１２）と、前記照明手段（１３，２５）が配置されていない辺に隣接して前記第２の情報表示手段（１８，１９）を配置した事を特徴とするカメラのファインダー装置。
【請求項２】
前記液晶表示パネル（７）の第２の情報表示手段（１８，１９）の配置された辺に対向する辺から前記液晶表示パネル（７）のコントロール信号接続手段（７ａ）を設けた事を特徴とする請求項１に記載のカメラのファインダー装置。
【請求項３】
前記コントロール信号接続手段（７ａ）と一体的に前記照明手段の照明ＬＥＤ（２５）の接続部（７ｂ）を設けた事を特徴とする請求項２に記載のカメラのファインダー装置。
【発明の詳細な説明】
【技術分野】
【０００１】
本発明は、一眼レフカメラのファインダー装置に関し、特にファインダー内表示装置に関するものである。
【背景技術】
【０００２】
従来一眼レフカメラのファインダー装置で、情報表示の為に高分子分散液晶パネルを使用しているカメラが知られている。
【０００３】
特許文献１では、高分子分散液晶パネルを一眼レフカメラのファインダー装置のピント板の上に配置し、液晶表示の照明の為に液晶の左右両側面でカメラの上下方向に沿い二つのライトガイドと照明用のＬＥＤが配置されていた。
【先行技術文献】
【特許文献】
【０００４】
【特許文献１】特許第４８１２１５６号明細書
【発明の概要】
【発明が解決しようとする課題】
【０００５】
しかしながら、上述の特許文献に開示された従来技術では、液晶表示の照明の為に液晶の左右両側面でカメラの上下方向に沿い二つのライトガイドと照明用のＬＥＤが配置されていたので、視野枠の左右の垂直方向に情報表示を表示できないという課題があった。
【０００６】
そこで、本発明の目的は、ファインダー内に照明可能な高分子分散液晶パネルを設けるとともに、ファインダーの横側にも情報表示を配置可能にした一眼レフカメラのファインダー装置を提供することである。
【課題を解決するための手段】
【０００７】
上記目的を達成するために、本発明は、カメラのフレーミングを決定するためのファインダー像を結像するピント板と、
前記ピント板と重なって視認できる様に配置された、光を拡散する状態を切り替える複数の表示を有する長方形の液晶表示パネルと、
カメラの情報を表示する第１、第２の情報表示手段と、
前記液晶表示パネルを照明する照明手段を有したカメラのファインダー装置において、
前記液晶表示パネルの一辺に隣接して前記第１の情報表示手段を配置し、
前記液晶表示パネルの第１の情報表示手段の配置された辺に対向する辺に隣接して前記照明手段を配置し、
前記第１の情報表示手段と、前記照明手段が配置されていない辺に隣接して前記第２の情報表示手段を配置した事を特徴とする。
【発明の効果】
【０００８】
本発明によれば、ファインダー内に照明可能な高分子分散液晶パネルを設けるとともにファインダーの独立した２辺に情報表示を配置したカメラのファインダー装置を提供することができる。
【図面の簡単な説明】
【０００９】
【図１】本発明のデジタル一眼レフカメラの構成図
【図２】図１のＡ−Ａ断面図
【図３】本発明のファインダー部分の分解斜視図
【図４】主要要素の配置図
【図５】照明の説明図
【図６】ライトガイドバー１３の保持方法を示す図
【発明を実施するための形態】
【００１０】
以下に、本発明の好ましい実施の形態を、添付の図面に基づいて詳細に説明する。
【００１１】
図１〜図６を参照して、本発明の実施例による、デジタル一眼レフカメラについて説明する。
【００１２】
図１は、本発明のデジタル一眼レフカメラの構成図で、図１は光学ファインダー観察状態を示している。
【００１３】
図１において、１はカメラ本体、２は交換レンズである。
【００１４】
図１は光学ファインダー観察状態を示し、光学ファインダー観察状態では、交換レンズ２を通った撮影光束は、主ミラー３により、９０°上方に反射される。
【００１５】
また、主ミラー３はハーフミラーで構成され、主ミラー３を一部透過した撮影光束は、サブミラー４によりカメラ本体１の底面方向に反射される。
【００１６】
底面方向に反射された撮影光束はＡＦユニット５に導かれる。
【００１７】
ＡＦユニット５は、従来から一眼レフカメラに用いられている位相差ＡＦ方式で構成する事が可能である。
【００１８】
主ミラー３により、９０°上方に反射された撮影光束は、ピント板６に結像する。ピント板６の結像面は、撮影面と光学的に等距離な位置に配置されている。
【００１９】
７は高分子分散液晶パネル（以下ＰＮ−ＬＣＤと称する）で、ＰＮ−ＬＣＤ７はピント板６の直上に配置されている。ＰＮ−ＬＣＤ７は非通電時には拡散状態になり、通電時に透過状態になる高分子分散液晶で構成されている。ＰＮ−ＬＣＤ７が、請求項１の液晶表示パネルに対応している。
【００２０】
８はペンタプリズム、９は接眼レンズで、ピント板６に結像した像をＰＮ−ＬＣＤ７を通し、ファインダー像として観察できるように構成されている。
【００２１】
このピント板６、ＰＮ−ＬＣＤ７、ペンタプリズム８、接眼レンズ９の構成は従来技術で実現する事が出来る。
【００２２】
１０は測光ユニットで、測光ユニット１０はピント板６の拡散光をヤブにらみ方向から検出して被写体の測光を行う。
【００２３】
１１は第１の情報表示パネルで、第１の情報表示パネル１１から出た光は第１のプリズム１２を介してペンタプリズム８に入り、接眼レンズ９を通してファインダー像の下側に観察される。
【００２４】
第１の情報表示パネル１１は液晶パネルとバックライト等で構成される。第１の情報表示パネル１１と第１のプリズム１２が請求項１の第１の情報表示手段に対応している。
【００２５】
１３はＰＮ−ＬＣＤ７の照明用のライトガイドバーである。
【００２６】
ライトガイドバー１３は第１の情報表示パネルと対向する側に配置されている。
【００２７】
１４はシャッターユニットである。シャッターユニット１４は縦走りのフォーカルプレーンシャッターで構成されている。
【００２８】
１５は撮像素子で、ＣＭＯＳセンサー等で構成される。
【００２９】
１６は交換レンズ２に内蔵された撮影光学系である。
【００３０】
撮影光学系１６はカメラ本体１からのコントロールにより、フォーカス調整が可能な構成をとっている。
【００３１】
１７は絞りである。
【００３２】
絞り１７はカメラ本体１からのコントロールにより、開口径の調整が可能な構成をとっている。
【００３３】
図１において、撮影動作が行われる場合、主ミラー３とサブミラー４が上方に跳ねあげられ、シャッターユニット１４と絞り１７により露光量がコントロールされて撮像素子１５で撮影が行われる。撮影後、主ミラー３とサブミラー４は図１の位置に戻る。撮影動作は、従来のデジタル一眼レフカメラと同じ動作で実現できる。
【００３４】
図２は図１のＡ−Ａ断面での構成図である。
【００３５】
図２において、１８は第２の情報表示パネルで、第２の情報表示パネル１８から出た光は第２のプリズム１９を介してペンタプリズム８に入り、接眼レンズ９（図１参照）を通して、ファインダー像の横に観察される。第２の情報表示パネル１８は液晶パネルとバックライト等により構成される。
【００３６】
第２の情報表示パネル１８と第２のプリズム１９が請求項１の第２の情報表示手段に対応している。
【００３７】
図２に示されている様に、第２の情報表示パネル１８と第２のプリズム１９はカメラ本体１をレンズ２（図１参照）側から見た時に、ピント板６とＰＮ−ＬＣＤ７の右側に配置されている。
【００３８】
従って、ペンタプリズム８と接眼レンズ９（図１参照）を通して観察される第２の情報表示パネル１８の像はペンタプリズム８により像が左右反転するので、ファインダー像の右側に観察される。
【００３９】
７ａはＰＮ−ＬＣＤ７のコントロールフレキで、コントロールフレキ７ａは情報表示パネル１８とプリズム１９に対し、ＰＮ−ＬＣＤ７を挟んで反対側に出されている。
【００４０】
図３は本発明を適用したデジタル一眼レフカメラのファインダー部分の分解斜視図であり、図１、２と対応する部分には同じ番号をつけてある。図の手前がレンズ２側、図の下がカメラ本体１の下方向である。
【００４１】
図３において、２０はペンタホルダーで、ペンタホルダー２０はペンタプリズム８を上側に保持している。
【００４２】
２１はＰＮ−ＬＣＤマスクで、ＰＮ−ＬＣＤマスク２１には、両面テープ２２が張り付けられている。
【００４３】
２３はＰＮ−ＬＣＤホルダーで、ＰＮ−ＬＣＤ７とライトガイドバー１３を固定する。ＰＮ−ＬＣＤホルダー２３はビス２６によりペンタホルダー２０に固定される。
【００４４】
２４は視野マスクで、視野マスク２４により、ファインダーの視野が決定される。
【００４５】
図４はＰＮ−ＬＣＤ７をカメラ本体１の上方から見た時の主要要素の配置を示す配置図で、図３の構成の説明図である。
【００４６】
図４の上がカメラ本体１のレンズ２側に対応している。
【００４７】
図４に示されている様に、ＰＮ−ＬＣＤ７を中心としたときに、カメラ本体１のレンズ２側にライトガイドバー１３、左側に第２の情報表示パネル１８と第２のプリズム１９、カメラ本体１のレンズ２と反対側に第１の情報表示パネル１１と第１のプリズム１２、右側にはＰＮ−ＬＣＤ７のコントロールフレキ７ａが配置されている。
【００４８】
２５は照明ＬＥＤで、照明ＬＥＤ２５はコントロールフレキ７ａの一部に設けられた引き出し部７ｂ上に実装されている。
【００４９】
図４に示されている様に、照明ＬＥＤ２５はＰＮ−ＬＣＤ７のコントロールフレキ７ａと隣接した右上部に配置されている。
【００５０】
照明ＬＥＤ２５から出た光はライトガイドバー１３の入射部１３ａから入り、出射部１３ｂから出る。１３ｃ部には微細プリズムが形成されている。
【００５１】
本ライトガイドバー１３の構成については、従来技術（例えば、実用新案登録第３０８２７６２号公報）で構成する事が出来る。
【００５２】
出射部１３ｂから出た照明光はＰＮ−ＬＣＤ７の上端面からＰＮ−ＬＣＤ７の内部に入り、ＰＮ−ＬＣＤ７の表示内容に対する照明が行われる。
【００５３】
ライトガイドバー１３と照明ＬＥＤ２５が請求項１の照明手段に対応している。
【００５４】
コントロールフレキ７ａが請求項２のコントロール信号接続手段に対応している。
【００５５】
引き出し部７ｂが請求項３の照明ＬＥＤの接続部に対応している。
【００５６】
照明ＬＥＤ２５が請求項３の照明ＬＥＤに対応している。
【００５７】
両面テープ２２はＰＮ−ＬＣＤ７の有効表示領域を避けた外形に沿ってロの字型に形成されるとともに、複数の舌片部２２ａがライトガイドバー１３側に突出している。
【００５８】
舌片部２２ａはライトガイドバー１３を保持する。ライトガイドバー１３の導光作用は全反射により損失が軽減されているので、両面テープが張り付けられると、両面テープ部分の全反射が失われ導光損失が増える。このため、ライトガイドバー１３の出射面１３ｂより入射面１３ａよりの領域は舌片部２２ａを間欠的に設けることにより、損失を軽減している。
【００５９】
次に、ＰＮ−ＬＣＤ７の表示内容について説明する。
【００６０】
７ｃは測距点表示で、測距点表示７ｃはオートフォーカスの為に使用される測距点位置を示している。
【００６１】
測距点表示７ｃは測距点選択時と合焦時に表示される。
【００６２】
７ｄは撮影モード表示、７ｅはホワイトバランス表示、７ｆはドライブモード表示、７ｇはＡＦモード表示、７ｈは圧縮モード表示である。それぞれの表示はアイコンになっており、カメラに設定された内容により表示内容が切り替わる。
【００６３】
ＰＮ−ＬＣＤ７の表示内容はペンタプリズム８を介してファインダー像と重なって表示される。ペンタプリズム８を介している為、左右が反転して見えるので、７ｄ〜７ｈの表示内容のアイコンは左右反転して構成されている。
【００６４】
７ｉは方眼線表示で、方眼線表示モードの時に表示される。
【００６５】
第１の情報表示パネル１１の内容はシャッター速度と絞り等、第２の情報表示パネル１８の内容は露出補正値等が表示される。
【００６６】
図５はライトガイドバー１３によるＰＮ−ＬＣＤ７の照明の説明図である。
【００６７】
前述したようにライトガイドバー１３の出射部１３ｂから出た照明光はＰＮ−ＬＣＤ７に入る。
【００６８】
ＰＮ−ＬＣＤ７に入った照明光は直接光と反射光の両方で伝わり、内部のＬＣＤの表示部分７ｅ、７Ｃ、７ｉ等にあたると拡散光としてＰＮ−ＬＣＤ７の両面に発せられる。
【００６９】
この拡散光により、ＰＮ−ＬＣＤ７の拡散部分が明るく視認される。
【００７０】
ＰＮ−ＬＣＤ７に入った照明光はＰＮ−ＬＣＤ７に入った直後の領域では直接光の成分が多いが、入射部から遠くなるに従い、反射により伝わる成分の比率が高くなる。また途中での散乱も発生する。従って、入射部から遠くなるに従い照明光のエネルギーは減衰し、ＰＮ−ＬＣＤ７の表示内容の明るさや照明ムラが低下する。
【００７１】
特に、ＰＮ−ＬＣＤ７の下端近傍では、照明品位の低下が最大になる。この為、特に照明品位の影響の受けやすい７ｄ〜７ｈのアイコンは下端を避けて上方にシフトしてレイアウトされている。これに対し、方眼線表示７ｉは照明品位の影響を受けにくいので、画面下端まで配置されている。
【００７２】
図６はライトガイドバー１３の保持構造を示す図である。
【００７３】
図６において、ライトガイドバー１３はペンタホルダー２０の第１の壁２０ａと第２の壁２０ｂに囲まれた谷部にはまっている。谷部の底には第一の両面テープ２２の複数の舌片部２２ａが配置され、ライトガイドバー１３を接着保持する。
【００７４】
１３ｄはライトガイドバー付き当て部で、ライトガイドバー付き当て部がペンタホルダー２０の位置決め部２０ｃに当接して位置が決定される。
【００７５】
以上説明した構成により、交換レンズ２を通った撮影光束はピント板６に結像し、その後直上に配置されたＰＮ−ＬＣＤ７を通過しファインダー像として観察される。
【００７６】
この時、ＰＮ−ＬＣＤ７の表示内容７ｃ〜７ｉが表示状態つまり拡散状態になっていると、表示内容の位置の光は拡散するのでファインダー像の中で暗く見える。その為、ファインダー像にスーパーインポーズされた状態で視認される。
【００７７】
次に、被写体が暗い場合等ピント板６に十分な光が到達しない時の動作を説明する。
【００７８】
測光ユニット１０による被写体測光の結果、所定値よりも被写体輝度が低い場合には、ＰＮ−ＬＣＤ７に対して照明が行われる。
【００７９】
照明は、照明ＬＥＤ２５が点灯し、ライトガイドバー１３を介してＰＮ−ＬＣＤ７の端面から光を入射させる事で行われる。
【００８０】
照明光が入射した場合、ＰＮ−ＬＣＤ７の表示内容７ｃ〜７ｉは照明光を拡散するため、暗い背景の中で明るく視認される。
【００８１】
上記構成により、ファインダーの内容としては、ファインダー像にＰＮ−ＬＣＤ７の表示内容がスーパーインポーズ表示され、ファインダー像の下側に第１の情報表示パネル１１の内容が表示され、ファインダー像の右側に第２の情報表示パネル１８の内容が表示するとともに、被写体が暗い時にはＰＮ−ＬＣＤ７が照明されて視認可能になる。
【００８２】
また、ＰＮ−ＬＣＤ７の第２の情報表示パネル１８と反対側からＰＮ−ＬＣＤ７のコントロールフレキ７ａが引き出されているので、第２の情報表示パネル１８とコントロールフレキ７ａを高さ方向で同じ位置をとる事が出来、大型化を避ける事が可能になっている。
【００８３】
ＰＮ−ＬＣＤ７を照明するＬＥＤ２５が配置されているのが、ＰＮ−ＬＣＤ７のコントロールフレキ７ａ側なので、コントロールフレキ７ａの一部から突出した引き出し部７ｂ上であるので、コストダウンとスペース効率向上による小型化が達成できる。
【００８４】
前述したように、ライトガイドバー１３の保持が間欠的な両面テープ２２になっているので、照明の減衰も軽減できる。この両面テープ２２は、ＰＮ−ＬＣＤ７の保持を兼ねているので、部品の増加を避ける事が出来る。また、両面テープ２２がライトガイドバー１３と貼りつく舌片部２２ａのみで構成すると両面テープが小さすぎる事により貼り付け作業性が低下してしまうが、ＰＮ−ＬＣＤ７の保持部（ロの字部）を一体化する事で、張り付け作業性も改善できる。
【００８５】
ＰＮ−ＬＣＤ７の表示内容のうち、ムラが目立ちやすいアイコン（７ｄ〜７ｈ）は画面の下端を避けて配置されると共に、照明品位の影響が小さい方眼線表示７ｉは画面下端まで配置されているので、方眼線の有効長さを最大限取る事ができる。
【符号の説明】
【００８６】
１  カメラ本体
２  交換レンズ
３  主ミラー
４  サブミラー
５  ＡＦユニット
６  ピント板
７  高分子分散液晶パネル
７ａ  コントロールフレキ
７ｂ  引き出し部
７ｃ  測距点表示
７ｄ  撮影モード表示
７ｅ  ホワイトバランス表示
７ｆ  ドライブモード表示
７ｇ  ＡＦモード表示
７ｈ  圧縮モード表示
７ｉ  方眼線表示
８  ペンタプリズム
９  接眼レンズ
１０  測光ユニット
１１  第１の情報表示パネル
１２  第１のプリズム
１３  ライトガイドバー
１３ａ  入射部
１３ｂ  出射部
１３ｃ  微細プリズム部
１３ｄ  ライトガイドバー付き当て部
１４  シャッターユニット
１５  撮像素子
１６  撮影光学系
１７  絞り
１８  第２の情報表示パネル
１９  第２のプリズム
２０  ペンタホルダー
２０ａ  第１の壁
２０ｂ  第２の壁
２０ｃ  位置決め部
２１  ＰＮ−ＬＣＤマスク
２２  両面テープ
２２ａ  舌片部
２３  ＰＮ−ＬＣＤホルダー
２４  視野マスク
２５  照明ＬＥＤ
２６  ビス
【図１】
2015096902.tif 000003
【図２】
2015096902.tif 000004
【図３】
2015096902.tif 000005
【図４】
2015096902.tif 000006
【図５】
2015096902.tif 000007
【図６】
2015096902.tif 000008